(57)【特許請求の範囲】
【請求項１】
自己表示部と、
筐体と、
当該筐体の配置状態を示すスタイルを検出する検出手段と、
自己に搭載されている複数の機能を起動させる起動手段と、
前記検出手段によって検出されたスタイルと前記起動手段によって起動された機能とに応じて、起動された機能による表示を外部表示装置の表示部に表示させるか、前記自己表示部に表示させるかを判別する判別手段と、
前記判別手段による判別結果に基づいて、前記外部表示装置の表示部および前記自己表示部の表示を制御する表示制御手段と、
を備え、
前記検出手段は、前記外部表示装置と自己との間の距離及び前記外部表示装置と自己との接触の少なくとも一方を検出し、
前記判別手段は、前記機能による表示が前記外部表示装置の表示部又は前記自己表示部のうちいずれか一方の表示部に表示されている状態において、前記検出手段によって、前記外部表示装置と自己との間の距離が所定距離以内になったこと、若しくは前記外部表示装置と自己とが接触したことが検出された場合に、他方の表示部に前記機能による表示を表示させる旨を判別することを特徴とする端末装置。
【請求項２】
請求項１に記載の端末装置であって、
前記判別手段は、前記検出手段によって検出されたスタイルと前記起動手段によって起動された機能とに応じ、所定のテーブルを検索することによって、起動された機能による表示を前記外部表示装置の表示部に表示させるか、前記自己表示部に表示させるかを判別することを特徴とする端末装置。
【請求項３】
コンピュータに、
端末装置の筐体の配置状態を示すスタイルを検出する検出機能と、
前記端末装置に搭載されている複数の機能を起動させる起動機能と、
前記検出機能によって検出されたスタイルと前記起動機能によって起動された機能とに応じて、起動された機能による表示を外部表示装置の表示部に表示させるか、前記端末装置の表示部に表示させるかを判別する判別機能と、
前記判別機能による判別結果に基づいて、前記外部表示装置の表示部および前記端末装置の表示部の表示を制御する表示制御機能と、
を実現させ、
前記検出機能は、前記外部表示装置と前記端末装置との間の距離及び前記外部表示装置と前記外部表示装置との接触の少なくとも一方を検出し、
前記判別機能は、前記機能による表示が前記外部表示装置の表示部又は前記端末装置の表示部のうちいずれか一方の表示部に表示されている状態において、前記検出機能によって、前記外部表示装置と前記端末装置との間の距離が所定距離以内になったこと、若しくは前記外部表示装置と前記端末装置とが接触したことが検出された場合に、他方の表示部に前記機能による表示を表示させる旨を判別するためのプログラム。
【発明の詳細な説明】
【技術分野】
【０００１】
本発明は、端末装置、及びプログラムに関する。
【背景技術】
【０００２】
頭部装着表示装置（以下、HMD（Head Mount Display）と呼ぶ。）などの外部表示装置と接続される携帯電話などの端末装置がある。このような端末装置では、端末装置に搭載されている機能を、外部表示装置の表示部に表示させたり、端末装置の表示部に表示させたりするようになっている。
【０００３】
外部表示装置と端末装置のどちらの表示部に表示させるのかを制御する方法としては、ユーザ操作によって指示された表示部に表示させる方法や、表示させる表示内容（内容、機密度、被写体）に応じたどちらか一方の表示部に表示させる、といった方法が公知となっている。
【０００４】
例えば、以下に示す特許文献１には、外付け表示装置と携帯機器を備える表示システムにおいて、表示する画像の表示内容（画質、費用、機密度、被写体、送信者を含む）に応じて、外付け表示装置で表示させるか、若しくは携帯機器の内蔵表示装置で表示させるかを判別する技術が開示されている。
【先行技術文献】
【特許文献】
【０００５】
【特許文献１】特開２００６−１８９４７６号公報
【発明の概要】
【発明が解決しようとする課題】
【０００６】
しかしながら、従来の表示システムでは、表示内容に応じて外部表示装置の表示部又は端末装置の表示部のいずれか一方で表示させるのかを予めユーザ指定しておかねばならず、ユーザの煩雑な操作が必要であった。また、指定内容を変更する場合にも、新たなユーザ指定が必要であり、やはりユーザの煩雑な操作が必要であった。
【０００７】
また、従来の表示システムでは、表示内容以外の要因に応じて表示を制御することができなかった。
【０００８】
本発明は、このような事情に鑑みてなされたもので、外部表示装置の表示部および端末装置の表示部の表示を、ユーザの煩雑な操作を必要とせずに、適切に制御することができる端末装置、及びプログラムを提供することを目的とする。
【課題を解決するための手段】
【０００９】
本発明の第１の観点に係る端末装置は、自己表示部と、筐体と、当該筐体の配置状態を示すスタイルを検出する検出手段と、自己に搭載されている複数の機能を起動させる起動手段と、前記検出手段によって検出されたスタイルと前記起動手段によって起動された機能とに応じて、起動された機能による表示を外部表示装置の表示部に表示させるか、前記自己表示部に表示させるかを判別する判別手段と、前記判別手段による判別結果に基づいて、前記外部表示装置の表示部および前記自己表示部の表示を制御する表示制御手段と、を備え、前記検出手段は、前記外部表示装置と自己との間の距離及び前記外部表示装置と自己との接触の少なくとも一方を検出し、前記判別手段は、前記機能による表示が前記外部表示装置の表示部又は前記自己表示部のうちいずれか一方の表示部に表示されている状態において、前記検出手段によって、前記外部表示装置と自己との間の距離が所定距離以内になったこと、若しくは前記外部表示装置と自己とが接触したことが検出された場合に、他方の表示部に前記機能による表示を表示させる旨を判別する。
【００１０】
本発明の第２の観点に係るプログラムは、コンピュータに、端末装置の筐体の配置状態を示すスタイルを検出する検出機能と、前記端末装置に搭載されている複数の機能を起動させる起動機能と、前記検出機能によって検出されたスタイルと前記起動機能によって起動された機能とに応じて、起動された機能による表示を外部表示装置の表示部に表示させるか、前記端末装置の表示部に表示させるかを判別する判別機能と、前記判別機能による判別結果に基づいて、前記外部表示装置の表示部および前記端末装置の表示部の表示を制御する表示制御機能と、を実現させ、前記検出機能は、前記外部表示装置と前記端末装置との間の距離及び前記外部表示装置と前記外部表示装置との接触の少なくとも一方を検出し、前記判別機能は、前記機能による表示が前記外部表示装置の表示部又は前記端末装置の表示部のうちいずれか一方の表示部に表示されている状態において、前記検出機能によって、前記外部表示装置と前記端末装置との間の距離が所定距離以内になったこと、若しくは前記外部表示装置と前記端末装置とが接触したことが検出された場合に、他方の表示部に前記機能による表示を表示させる旨を判別する。
【発明の効果】
【００１１】
本発明によれば、外部表示装置の表示部および端末装置の表示部の表示を、ユーザの煩雑な操作を必要とせずに、適切に制御することができる。
【図面の簡単な説明】
【００１２】
【図１】実施形態として説明するシステムの構成図である。
【図２】実施形態として説明する携帯電話機１の筐体がとる配置状態を示す図である。
【図３】実施形態として説明するＨＭＤ８の外観例を示す図である。
【図４】実施形態として説明する携帯電話機１のブロック構成の一例である。
【図５】実施形態として説明するＨＭＤ８のブロック構成の一例である。
【図６】実施形態として説明する表示制御情報６１０の一例である。
【図７】実施形態として説明する発信制御情報７１０の一例である。
【図８】実施形態として説明する着信制御情報８１０の一例である。
【図９】実施形態として説明する表示履歴９１０の一例である。
【図１０】携帯電話機１の基本的な動作を示すメインルーチンの一例を説明するフローチャートである。
【図１１】図１０に示すメインルーチンからサブルーチンとして呼び出される発信制御処理（Ｓ１００６）の一例を説明するフローチャートである。
【図１２】図１０に示すメインルーチンからサブルーチンとして呼び出される着信制御処理（Ｓ１００８）の一例を説明するフローチャートである。
【図１３】図１０に示すメインルーチンからサブルーチンとして呼び出されるメール着信制御処理（Ｓ１０１０）の一例を説明するフローチャートである。
【図１４】図１０に示すメインルーチンからサブルーチンとして呼び出される表示制御処理（Ｓ１０１２）の一例を説明するフローチャートである。
【図１５】図１０に示すメインルーチンからサブルーチンとして呼び出される機能起動処理（Ｓ１０１４）の一例を説明するフローチャートである。
【図１６】実施形態として説明するテレビ電話通話中の画面表示の一例である。
【発明を実施するための形態】
【００１３】
（１）システム構成例
図１は本発明に係る端末装置と外部表示装置とによるシステム構成の一例を示す図である。尚、同図に示すように、以下では端末装置が携帯電話機１である場合の説明ではあるが、携帯電話機１に限らず、ＰＤＡ、電子カメラ、電子腕時計、音楽再生機など、外部表示装置と接続可能な端末装置でよい。また、同図に示すように、以下では外部表示装置がＨＭＤ８である場合の説明ではあるが、ＨＭＤ８に限らず、携帯型表示装置など、端末装置と接続可能な外部表示装置でよい。
【００１４】
携帯電話機１は、交換機２を介して移動体通信網３に接続された基地局４と通信して電話網又はＩＰ電話網を介して行われる音声通話機能やテレビ電話通話機能、メールサーバ５を介して行われる電子メール機能、Ｗｅｂブラウザ等により移動体通信網３に接続された不図示のインターネット上のサイトにアクセスするインターネット接続機能を提供する。さらに、携帯電話機１は、テレビ局やラジオ局等の放送局６の送信基地局７から送信された放送電波を受信して再生する放送電波再生機能、及び前記のインターネット上の音楽配信サイトから提供された音楽を再生する音楽再生機能を有する。
【００１５】
また、携帯電話機１は、ＨＭＤ８との間で無線通信又は有線通信を行う機能（以下、ＨＭＤ通信機能と呼ぶ。）を有する。尚、ＨＭＤ８は、ユーザの頭部に保持されて携帯電話機１と連携して利用される表示装置のことであり、ユビキタス社会におけるウェアラブル機器としての役割を担う。例えば、ＨＭＤ８は、マイクロフォン８５１並びにスピーカ８５２によるハンズフリー通話機能等を提供する。また、ＨＭＤ８は、携帯電話機１の機能を表示部８６に表示させる機能を備える。尚、図１６には、携帯電話機１のテレビ電話通話機能によって発信相手又は着信相手に関する詳細情報（アドレス帳の各種情報や顔写真等）が表示部８６に表示された場合を示す。
【００１６】
（２）外観例
図２、図３は、携帯電話機１とＨＭＤ８の外観例である。
携帯電話機１は、メイン画面として液晶パネル等の表示部１８１を有する平板状の第１の筐体１０１と、ダイヤルキー等の操作部１９を有する平板状の第２の筐体１０２とが、それぞれの端部を蝶番で連結されてなるシェル（Shell）構造を有している。このシェル構造により、携帯電話機１は、図２に示すように、シェルが開いたオープンスタイル（図２（ａ））、シェルが閉じたクローズスタイル（図２（ｂ））の配置状態をとり得る。尚、第１の筐体１０１の表示部１８１が設けられた面とは反対側の面に同等の表示機能を有するサブ画面としての表示部１８２を有している場合があり、この場合、クローズスタイルの状態であっても、表示部１８２を介して携帯電話機１の搭載機能に応じたサブ画面表示をユーザが視認することができる。
【００１７】
また、携帯電話機１は、オープンスタイルの状態にある第１の筐体１０１を長手方向を軸として１８０度回転させてからシェルを閉じたビュースタイル（図２（ｃ））の配置状態もとり得る。このビュースタイルの場合、シェルが閉じられているにも関わらず、表示部１８１を介して携帯電話機１の搭載機能に応じたメイン画面表示をユーザが視認することができる。
【００１８】
ＨＭＤ８は、図３に示すように、眼鏡型の形状をとり、ユーザの片方の視界を確保するためにもう片方の眼前に映像を投影させる表示部８６と、ユーザがハンズフリー通話を行うためのマイクロフォン８５１並びにスピーカ８５２と、表示部８６、マイクロフォン８５１及びスピーカ８５２を支持する支持部材８５０と、を備える。尚、ＨＭＤ８は、眼鏡型の形状に限らず、表示部８６が両眼を覆うゴーグル型の形状や、表示部８６等がヘルメットと一体化した帽子型の形状でもよい。
【００１９】
（３）ブロック構成例
図４は、携帯電話機１のブロック構成例を示す図である。
携帯電話機１は、中央制御部１１、ＲＯＭ１２（ROM : Read Only Memory）、ＲＡＭ１３（RAM : Random Access Memory）、無線通信部１４、テレビ・ラジオ放送通信部１５、ＨＭＤ通信部１６（HMD：Head Mount Display）、音声信号処理部１７、表示部１８、操作部１９、ＲＴＣ２０（RTC : Real Time Clock）、スタイル検出部２１、および距離検出部２２を有している。
【００２０】
中央制御部１１は、ＣＰＵ（Central Processing Unit)やＭＰＵ（Micro Processing Unit）を用いて構成される。中央制御部１１は、ＲＯＭ１２又はＲＡＭ１３に記憶されるプログラムやデータにより、携帯電話機１の統括的な制御を行う。また、中央制御部１１は、音声通話機能、テレビ電話通話機能、電子メール機能、インターネット接続機能、音楽再生機能、テレビ・ラジオ放送再生機能など、携帯電話機１が提供する様々な機能を実現する。尚、音声通話機能やテレビ電話通話機能には、着信報知機能（たとえば着信履歴、着信音声出力、着信画像表示、着信灯の点滅、着信あり表示等）、アドレス帳機能、着信拒否機能、留守番電話機能、通話転送機能等が含まれる。また、電子メール機能には、着信報知機能、アドレス帳機能等が含まれる。
【００２１】
図４に示すＲＯＭ１２やＲＡＭ１３には、携帯電話機１の機能を実現するためのプログラムやデータが記憶される。このうちＲＡＭ１３の記憶領域には、後述する表示制御情報６１０が記憶される表示制御情報記憶部１３１、後述する発信制御情報７１０が記憶される発信制御情報記憶部１３２、後述する着信制御情報が記憶される着信制御情報記憶部１３３、後述する表示履歴９１０が記憶される表示履歴記憶部１３４、発信履歴が記憶される発信履歴記憶部１３５、着信履歴が記憶される着信履歴記憶部１３６、通話（テレビ電話通話、音声通話等）や通信（電子メール、インターネット等）の宛先情報が登録されたアドレス帳が記憶されるアドレス帳記憶部１３７、発信相手に向けて発信する電子メール（作成済みの未送信メール、送信済みメール）又は着信相手から受信した電子メールが記憶されるメール記憶部１３８が設けられている。
【００２２】
無線通信部１４は、通話や通信が行われる際に基地局４との間で無線通信を行う。テレビ・ラジオ放送通信部１５は、送信基地局７から送信されてくる放送電波を受信して、その復調信号を出力する。
【００２３】
ＨＭＤ通信部１６は、ＨＭＤ８との間の有線通信又は無線通信を制御し、ＨＭＤ８の表示部８６に表示させる表示内容やＨＭＤ８のスピーカ８５２より発せられる音声を、ＨＭＤ８に向けて送信したり、ＨＭＤ８のマイクロフォン８５１から入力される音声を受信する。
【００２４】
音声信号処理部１７は、マイクロフォン１７１から入力されるアナログの音声信号に基づくデジタルの音声信号を出力する。また音声信号処理部１７は、着信報知のための着信音、操作確認のための操作音等の各種デジタル信号をアナログ信号に変換してスピーカ１７２に出力する。また音声信号処理部１７は、無線通信部１４から入力される通話音声の復調信号やテレビ・ラジオ放送通信部１５から入力される復調信号をアナログ信号に変換してスピーカ１７２に出力する。
【００２５】
表示部１８は、前述した第１の筐体１０１が備えるメイン画面用の表示部１８１又はサブ画面用の表示部１８２であり、液晶パネルや有機ＥＬパネルなどで実現され、中央制御部１１から入力される映像信号に応じて映像を表示する。尚、表示部１８に表示される映像には、例えば、着信報知のための着信画像又は着信動画、音声通話又はテレビ電話通話の際の通話画面等がある。
【００２６】
操作部１９は、操作ボタンやタッチパネル、操作ダイヤル、キーボード、マウスなどの操作機器に対して行われた操作入力を電気信号に変換して中央制御部１１に伝える。ＲＴＣ２０は、日付や時刻等の現在の時刻情報を出力する。
【００２７】
スタイル検出部２１は、携帯電話機１の筐体（第１の筐体１０１と第２の筐体１０２）の現在のスタイル（オープンスタイル、クローズスタイル、ビュースタイル）を検出し、その検出結果を示す信号を出力する。
【００２８】
距離検出部２２は、ＨＭＤ８と携帯電話機１との間の距離を検出する他、ＨＭＤ８と携帯電話機１が接触したか否かを検出する。ＨＭＤ８と携帯電話機１との間の距離を検出する仕組みとしては、例えば、ＨＭＤ８側の方に設けておいた距離検出部８８との間での赤外線や超音波等の送受信時間を計測することによって携帯電話機１とＨＭＤ８との間の距離を検出する仕組みを採用する。また、ＨＭＤ８と携帯電話機１との接触を検出する仕組みとしては、例えば、携帯電話機１側でＨＭＤ８と接触したことを検出し、さらに、ＨＭＤ８側にも設けた距離検出部８８において携帯電話機１との接触を検出したことを示す接触信号が送信されてきた場合に、ＨＭＤ８と携帯電話機１とが接触したと判定する仕組みを採用する。尚、ＨＭＤ８との間の距離や接触を検出する仕組みはとしてはこれらに限らず、任意の公知技術で良い。
【００２９】
図５にＨＭＤ８のブロック図を示す。ＨＭＤ８は、中央制御部８１、ＲＯＭ８２、ＲＡＭ８３、携帯電話機通信部８４、音声信号処理部８５、表示部８６、操作部８７、及び距離検出部８８を有している。
【００３０】
中央制御部８１は、ＲＯＭ８２又はＲＡＭ８３に記憶されるプログラムやデータにより、ＨＭＤ８の統括的な制御を行う。
【００３１】
携帯電話機通信部８４は、携帯電話機１との間の有線通信又は無線通信を制御して、ＨＭＤ通信部１６から送信された表示内容、音声を受信したり、マイクロフォン８５１から入力された音声を携帯電話機１に向けて送信する。
【００３２】
音声信号処理部８５は、マイクロフォン８５１から入力されるアナログの音声信号に基づくデジタルの音声信号を出力する。また、音声信号処理部１７は、着信音、操作音等の各種音声信号や携帯電話機通信部８４から受信した音声をスピーカ１７２に出力する。
【００３３】
表示部８６は、液晶パネルや有機ＥＬパネルなどであり、中央制御部８１から入力される映像信号に応じて映像を表示する。また、表示部８６は、携帯電話機通信部８４から受信した表示内容を表示する。
【００３４】
操作部８７は、操作ボタンやタッチパネルなどの操作機器に対して行われた操作入力を電気信号に変換して中央制御部８１に伝える。尚、携帯電話機１とＨＭＤ８が有線通信用のケーブルを介して接続される場合、操作部８７と同等の機能を持つ操作部が当該ケーブルと一体的に設けられる。
【００３５】
距離検出部８８は、携帯電話機１の距離検出部２２と連携して、携帯電話機１とＨＭＤ８とが接触したか否かを検出する。また、距離検出部８８は、携帯電話機１とＨＭＤ８との間の距離を検出する。
【００３６】
尚、図６から図９は、前述したＲＡＭ１３の各記憶部に記憶される情報の一例を示した図である。
【００３７】
図６は、表示制御情報記憶部１３１に記憶された表示制御情報６１０の一例を示す図である。表示制御情報６１０は、後述の表示制御処理で用いられる。具体的には、表示制御が行われる際のイベントの種別６１１と、種別６１１のイベント毎に携帯電話機１の表示部１８にするか若しくはＨＭＤ８の表示部８６にするかを指定する制御内容６１２と、種別６１１毎の制御内容６１２を有効にするか無効にするかを設定する設定フラグ６１３（１：有効、０：無効）などの項目を有している。
【００３８】
例えば、図６に示す例において、種別６１１が「スタイル」の場合、クローズスタイル及びオープンスタイルの際にはＨＭＤ８の表示部８６の方にユーザの意識が集中しているものとして表示部８６が選択され、ビュースタイルの場合には携帯電話機１の表示部１８１の方にユーザの意識が集中しているものとして表示部１８が選択されるようにする。
【００３９】
また、図６に示す例において、種別６１１が「スタイル＋機能」の場合、クローズスタイルの際には、すべての携帯電話機１の搭載機能をＨＭＤ８の表示部８６の方に表示させる。また、オープンスタイルの際には、テレビ放送番組の再生やインターネットなどから提供される画像（静止画、動画）の再生をＨＭＤ８の表示部８６の方に表示させ、電子メールやアドレス帳やその他の機能を携帯電話機１の表示部１８の方に表示させる。また、ビュースタイルの際には、オープンスタイルのときとは逆の表示（その他の機能を除く。）となる。
【００４０】
また、図６に示す例において、種別６１１が「表示履歴」の場合、「スタイル」や「機能」に関わらず、後述の表示履歴９１０に従って表示制御が行われる。
【００４１】
図７は、発信制御情報記憶部１３２に記憶された発信制御情報７１０の一例を示した図である。発信制御情報７１０は、後述の発信制御処理で用いられる。例えば、同図に示すように、音声発信、テレビ電話発信並びにメール発信といった発信イベントの種別と、その種別毎の設定状況を示す設定フラグ（１：有効、０：無効）と、を対応づけたテーブル情報として用意されている。
【００４２】
図８は、着信制御情報記憶部１３３に記憶される着信制御情報８１０の一例を示した図である。着信制御情報８１０は、後述の着信制御処理で用いられる。例えば、同図に示すように、詳細表示（着信相手の詳細情報の表示）、音声通話並びにテレビ電話通話といった着信イベントの種別と、その種別毎の設定状況を示す設定フラグと、を対応づけたテーブル情報として用意されている。
【００４３】
図９は、表示履歴記憶部１３４に記憶される表示履歴９１０の一例を示した図である。表示履歴９１０は、後述の機能起動処理で用いられる。例えば、同図に示すように、表示履歴９１０のレコードは、新しい表示履歴には若い番号が割り当てられるようにレコード毎に付与されるＩＤ９１１と、起動された機能内容を示す機能９１２と、起動された機能が表示された表示装置９１３といった項目を有している。
【００４４】
例えば、図９に示す例において、ＩＤ９１１が「０１」の最新のレコードでは、機能９１２が「テレビ」であり、表示装置９１３が「ＨＭＤ」である。即ち、テレビ放送の再生（放送電波再生機能）がＨＭＤ８の表示部８６によって行われたことを示している。尚、図９に示す例において、機能９１２のうち、「アドレス帳」は、音声通話、テレビ電話通話、メールなどの発信相手のアドレス帳を表示させる機能のことであり、「メール」は、電子メール機能の一つとして発信メール又は着信メールを表示させる機能のことであり、「画像再生」はインターネット接続機能で取得した画像等の所定の画像（静止画、動画）を表示させる機能のことである。
【００４５】
（４）メインルーチン例
図１０は、携帯電話機１の基本的な動作となるメインルーチンの一例を説明するフローチャートである。
【００４６】
携帯電話機１は、主電源がオフされている低消費電力モードにおいて、電源オン操作が行われたか否かをリアルタイムに監視している（Ｓ１００１：ＮＯ）。携帯電話機１は、電源オン操作がされたことを検出すると（Ｓ１００１：ＹＥＳ）、主電源をオンし、移動体通信網３と接続するための待受処理を開始する（Ｓ１００２）。
【００４７】
上記待受処理の完了後、次に携帯電話機１は、操作部１９によるユーザの操作入力の監視を開始する（Ｓ１００３）。携帯電話機１は、設定操作のための所定の操作入力がされると（Ｓ１００３：ＹＥＳ）、設定処理を開始し（Ｓ１００４）、設定処理の完了後はＳ１００３に戻る。設定操作のための所定の操作入力がされなければ（Ｓ１００３：ＮＯ）、Ｓ１００５に進む。なお、前述した表示制御情報６１０、発信制御情報７１０、着信制御情報８１０も、このＳ１００４の設定処理において設定される。
【００４８】
Ｓ１００５では、ユーザによって発信相手を指定するための操作が行われたか否かの監視が行われる（Ｓ１００５）。例えば、アドレス帳記憶部１３７に記憶されたアドレス帳、発信履歴記憶部１３５に記憶された発信履歴、着信履歴記憶部１３６に記憶された着信履歴などによって発信相手の宛先を表示部１８に表示させる操作や、発信相手の宛先として電話番号や電子メールアドレスを操作部１９を介して入力される操作が行われたか否かを監視する。このような操作が行われると（Ｓ１００５：ＹＥＳ）、携帯電話機１はつぎに発信制御処理（Ｓ１００６）を開始する。尚、発信制御処理の詳細については後述する。発信制御処理（Ｓ１００６）の後はＳ１００３に戻る。
【００４９】
つぎに携帯電話機１は着信相手からの音声通話やテレビ電話通話の着信が検出されたか否かの監視を開始する（Ｓ１００５：ＮＯ、Ｓ１００７）。音声通話やテレビ電話通話の着信が検出されると（Ｓ１００７：ＹＥＳ）、携帯電話機１は着信制御処理を開始する（Ｓ１００８）。尚、着信制御処理の詳細については後述する。着信制御処理（Ｓ１００８）の後はＳ１００３に戻る。
【００５０】
つぎに携帯電話機１は着信相手からの電子メールの着信が検出されたか否かの監視を開始する（Ｓ１００７：ＮＯ、Ｓ１００９）。電子メールの着信が検出されると（Ｓ１００９：ＹＥＳ）、携帯電話機１はメール着信制御処理を開始する（Ｓ１０１０）。尚、メール着信制御処理の詳細については後述する。メール着信制御処理（Ｓ１０１０）の後はＳ１００３に戻る。
【００５１】
つぎに携帯電話機１は距離検出部２２によってＨＭＤ８との接触が検出されたか否かの監視を開始する（Ｓ１００９：ＮＯ、Ｓ１０１１）。ＨＭＤ８との接触が検出されると（Ｓ１０１１：ＹＥＳ）、携帯電話機１は表示制御処理を開始する（Ｓ１０１２）。尚、表示制御処理の詳細については後述する。表示制御処理（Ｓ１０１２）の後はＳ１００３に戻る。
【００５２】
つぎに携帯電話機１はユーザによって自己に搭載された機能が起動操作（以下、機能起動操作と呼ぶ。）されたか否かの監視を開始する（Ｓ１０１１：ＮＯ、Ｓ１０１３）。機能起動操作が行われると（Ｓ１０１３：ＹＥＳ）、携帯電話機１は機能起動処理を開始する（Ｓ１０１４）。尚、機能起動処理の詳細については後述する。機能起動処理（Ｓ１０１４）の後はＳ１００３に戻る。
【００５３】
つぎに携帯電話機１は自己に搭載された機能がユーザによって終了操作されたか否かの監視を開始する（Ｓ１０１３：ＮＯ、Ｓ１０１５）。機能の終了操作が行われると（Ｓ１０１５：ＹＥＳ）、機能を終了し、当該機能に応じて実行された表示制御内容に関する履歴を表示履歴９１０として表示履歴記憶部１３４に記憶する（Ｓ１０１６）。尚、表示履歴９１０の記憶が終了するとＳ１００３に戻る。
【００５４】
つぎに携帯電話機１は電源オフ操作が行われたか否かの監視をし（Ｓ１０１５：ＮＯ、Ｓ１０１７）、電源オフ操作が行われたことを検出すると（Ｓ１０１７：ＹＥＳ）、携帯電話機１は主電源をオフにする（Ｓ１０１８）。なお、携帯電話機１は、以上に説明した以外の他の操作が行われた場合（Ｓ１０１９：ＹＥＳ）、その操作に対応した処理を実行した後（Ｓ１０２０）、Ｓ１００３に戻る。他の操作が行われなければ（Ｓ１０１９：ＮＯ）、Ｓ１００３に戻る。
【００５５】
（５）サブルーチン例
図１１は、図１０で説明したメインルーチンから呼び出される一つのサブルーチンとしての発信制御処理（Ｓ１００６）の一例を説明するフローチャートである。
【００５６】
まず携帯電話機１は、ユーザが操作部１９を操作して電子メールの作成を行ったか否かの監視を行う（Ｓ１１０１〜Ｓ１１０３）。電子メールの作成を行うための操作が行われた場合（Ｓ１１０１：ＹＥＳ）、その操作に応じて発信相手の宛先を指定した電子メールが作成され（Ｓ１１０２）、当該電子メールがメール記憶部１３８に記憶される（Ｓ１１０３）。なお、このとき、発信制御情報記憶部１３２に記憶される発信制御情報７１０において「メール発信」の種別が設定フラグ「１」に設定される。電子メールの作成を行うための操作が行われない場合（Ｓ１１０１：ＮＯ）、Ｓ１１０４に進む。
【００５７】
次に携帯電話機１は、距離検出部２２によってＨＭＤ８と接触したか否かの監視を開始する（Ｓ１１０４）。ＨＭＤ８と接触したことが検出された場合（Ｓ１１０４：ＹＥＳ）、発信制御情報記憶部１３２に記憶された発信制御情報７１０の中から設定フラグが「１」に設定された種別を読み出す（Ｓ１１０５）。
【００５８】
携帯電話機１は、読み出された発信制御情報７１０の種別が「音声発信」の場合（Ｓ１１０６：ＹＥＳ）、発信履歴記憶部１３５に発信相手の宛先等の発信履歴を記憶し（Ｓ１１０７）、宛先指定された発信相手に向けて無線通信部１４を介した音声発信処理を実行する（Ｓ１１０８）。そして、発信相手に関する詳細情報（アドレス帳の各種情報や顔写真等）をＨＭＤ通信部１６を介してＨＭＤ８の表示部８６に表示させた後（Ｓ１１０９）、図１０に示すＳ１００３に戻る。
【００５９】
携帯電話機１は、読み出された発信制御情報７１０の種別が「テレビ電話発信」の場合（Ｓ１１０６：ＮＯ、Ｓ１１１０：ＹＥＳ）、上記の「音声発信」の場合と同様に、発信履歴記憶部１３５に発信相手の宛先等の発信履歴を記憶し（Ｓ１１１１）、宛先指定された発信相手に向けて無線通信部１４を介したテレビ電話発信処理を実行し（Ｓ１１１２）、発信相手に関する詳細情報をＨＭＤ通信部１６を介してＨＭＤ８の表示部８６に表示させた後（Ｓ１１１３）、図１０に示すＳ１００３に戻る。
【００６０】
携帯電話機１は、読み出された発信制御情報７１０の種別が「音声発信」でも「テレビ電話発信」でもなく「メール発信」である場合（Ｓ１１０６：ＮＯ、Ｓ１１１０：ＮＯ）、ユーザにより作成された電子メールがメール記憶部１３８に記憶されていれば（Ｓ１１１４：ＹＥＳ）、宛先指定された発信相手に対して無線通信部１４を介したメール発信処理を実行し（Ｓ１１１５）、発信相手に関する詳細情報をＨＭＤ通信部１６を介してＨＭＤ８の表示部８６に表示させた後（Ｓ１１１６）、図１０に示すＳ１００３に戻る。尚、電子メールが作成されていない場合（Ｓ１１１４：ＮＯ）、図１０に示すＳ１００３に戻る。
【００６１】
一方、携帯電話機１は、距離検出部２２によってＨＭＤ８との接触を検出しなかった場合（Ｓ１１０４：ＮＯ）、操作部１９を介したユーザ操作（音声発信、テレビ電話発信、メール発信のための操作等）が行われたか否かの監視を開始する（Ｓ１１１７）、ユーザ操作が行われた場合にはそのユーザ操作に基づいて所定の処理（音声発信、テレビ電話発信、テレビ電話発信等）が実行され（Ｓ１１１７：ＹＥＳ、Ｓ１１１８）、図１０に示すＳ１００３に戻る。ユーザ操作が行われなかった場合には（Ｓ１１１７：ＮＯ）、Ｓ１１０４に戻る。
【００６２】
図１２は、図１０で説明したメインルーチンから呼び出される一つのサブルーチンとしての着信制御処理（Ｓ１００８）の一例を説明するフローチャートである。
【００６３】
まず携帯電話機１は、着信相手からの音声通話又はテレビ電話通話の着信が検出されると当該着信相手の宛先等の情報を着信履歴として着信履歴記憶部１３６に記憶する（Ｓ１２０１）。そして、携帯電話機１はユーザに対して通話の着信を報知する（Ｓ１２０２）。尚、通話の着信の報知は、例えば、着信音出力、着信画像表示、着信灯の点滅光等によって行われる。
【００６４】
次に携帯電話機１は、距離検出部２２によってＨＭＤ８と接触したか否かの監視を開始する（Ｓ１２０３）。ＨＭＤ８と接触したことが検出された場合（Ｓ１２０３：ＹＥＳ）、着信制御情報記憶部１３３に記憶された着信制御情報８１０の中から設定フラグが「１」に設定された種別を読み出す（Ｓ１２０４）。
【００６５】
携帯電話機１は、読み出された種別が「詳細表示」の場合（Ｓ１２０５：ＹＥＳ）、着信相手に関する詳細情報（アドレス帳の各種情報や顔写真など）をＨＭＤ通信部１６を介してＨＭＤ８の表示部８６に表示させる（Ｓ１２０６）。そして、操作部１９を介したユーザ操作（音声通話、テレビ電話通話、着信拒否、留守番電話、転送のための操作等）が行われたか否かの監視を開始する（Ｓ１２０７）、ユーザ操作が行われた場合にはそのユーザ操作に基づいて所定の処理（音声通話、テレビ電話通話、着信拒否、留守番電話、転送等）が実行され（Ｓ１２０７：ＹＥＳ、Ｓ１２０８）、図１０に示すＳ１００３に戻る。ユーザ操作が行われなかった場合には（Ｓ１２０７：ＮＯ）、通話の着信が終了したか否かの監視を開始し（Ｓ１２０９）、通話の着信が終了した場合には（Ｓ１２０９：ＹＥＳ）、携帯電話機１の表示部１８に「着信あり」を表示して（Ｓ１２１０）、図１０に示すＳ１００３に戻る。
【００６６】
携帯電話機１は、読み出された種別が「音声通話」の場合（Ｓ１２０５：ＮＯ、Ｓ１２１１：ＹＥＳ）、無線通信部１４を介した着信相手との音声通話処理を実行する（Ｓ１２１２）。そして、着信相手に関する詳細情報（アドレス帳の各種情報や顔写真等）をＨＭＤ通信部１６を介してＨＭＤ８の表示部８６に表示させた後（Ｓ１２１３）、図１０に示すＳ１００３に戻る。
【００６７】
携帯電話機１は、読み出された発信制御情報７１０の種別が「詳細表示」でも「音声通話」でもなく「テレビ電話通話」である場合（Ｓ１２０５：ＮＯ、Ｓ１２１１：ＮＯ）、無線通信部１４を介した着信相手とのテレビ電話通話処理を実行する（Ｓ１２１４）。そして、上記の音声通話の場合と同様に、着信相手に関する詳細情報をＨＭＤ通信部１６を介してＨＭＤ８の表示部８６に表示させた後（Ｓ１２１５）、図１０に示すＳ１１０３に戻る。
【００６８】
一方、携帯電話機１は、距離検出部２２によってＨＭＤ８との接触を検出しなかった場合（Ｓ１２０３）、操作部１９を介したユーザ操作（音声通話、テレビ電話通話、着信拒否、留守番電話、転送のための操作等）が行われたか否かの監視を開始し（Ｓ１２１６）、ユーザ操作が行われた場合（Ｓ１２１６：ＹＥＳ）にはＳ１２０８に進む。また、ユーザ操作が行われなかった場合には（Ｓ１２１６：ＮＯ）、通話の着信が終了したか否かの監視を開始し（Ｓ１２１７）、通話の着信が終了した場合には（Ｓ１２１７：ＹＥＳ）、Ｓ１２１０に進む。
【００６９】
図１３は図１０で説明したメール着信制御処理（Ｓ１０１０）の一例を説明するフローチャートである。
【００７０】
まず携帯電話機１は、着信相手からの電子メールの着信が検出されると、ユーザに対してメールの着信を報知する（Ｓ１３０１）。尚、着信メールの報知は、例えば、着信音出力、着信画像表示、着信灯の点滅光等によって行われる。
【００７１】
次に携帯電話機１は、距離検出部２２によってＨＭＤ８と接触したか否かの監視を開始する（Ｓ１３０２）。ＨＭＤ８と接触したことが検出された場合（Ｓ１３０２：ＹＥＳ）、着信相手から受信した着信メールをメール記憶部１３８に記憶する（Ｓ１３０３）。そして、着信メールをＨＭＤ通信部１６を介してＨＭＤ８の表示部８６に表示させた後（Ｓ１３０４）、図１０に示すＳ１００３に戻る。
【００７２】
一方、携帯電話機１は、距離検出部２２によってＨＭＤ８との接触を検出しなかった場合（Ｓ１３０２：ＮＯ）、操作部１９を介したユーザ操作によって着信メールを表示させる操作が行われたか否かの監視を開始する（Ｓ１３０５）。着信メールの表示操作が行われた場合（Ｓ１３０５：ＹＥＳ）、Ｓ１３０３に進み、着信メールの表示操作が行われなかった場合（Ｓ１３０５：ＮＯ）、着信が終了したか否かの監視を開始する（Ｓ１３０６）。
【００７３】
携帯電話機１は、電子メールの着信が終了した場合には（Ｓ１３０６：ＹＥＳ）、着信相手から受信した着信メールをメール記憶部１３８に記憶し（Ｓ１３０７）、表示部１８において「着信メールあり」を表示する（Ｓ１３０８）。一方、電子メールの着信が終了していない場合には（Ｓ１３０６：ＮＯ）、Ｓ１３０２に戻る。
【００７４】
図１４は、図１０で説明したメインルーチンから呼び出される一つのサブルーチンとしての表示制御処理（Ｓ１０１２）の一例を説明するフローチャートである。
【００７５】
まず携帯電話機１は、距離検出部２２によって携帯電話機１とＨＭＤ８との接触が検出されると、着信相手からの音声通話又はテレビ電話通話の着信があったことを報知する「着信あり」が自己の表示部１８に表示されている状態であるか否かを判別する（Ｓ１４０１）。携帯電話機１は、自己の表示部１８に前記の「着信あり」が表示中であれば（Ｓ１４０１：ＹＥＳ）、着信履歴記憶部１３４に記憶されている着信履歴をＨＭＤ通信部１６を介してＨＭＤ８の表示部８６に表示させた後（Ｓ１４０２）、図１０に示すＳ１００３に戻る。
【００７６】
つぎに携帯電話機１は、自己の表示部１８に前記の「着信あり」が表示中でなければ（Ｓ１４０１：ＮＯ）、着信相手からの電子メールの着信があったことを報知する「着信メールあり」が自己の表示部１８に表示されているかどうかを判別する（Ｓ１４０３）。携帯電話機１は、自己の表示部１８に前記の「着信メールあり」が表示中であれば（Ｓ１４０３：ＹＥＳ）、メール記憶部１３８に記憶される着信メールをＨＭＤ通信部１６を介してＨＭＤ８の表示部８６に表示させた後（Ｓ１４０４）、図１０に示すＳ１００３に戻る。
【００７７】
携帯電話機１は、自己の表示部１８に前記の「着信あり」や前記の「着信メールあり」の表示が行われていない場合（Ｓ１４０１：ＮＯ、Ｓ１４０３：ＮＯ）、ＨＭＤ通信部１６を介してＨＭＤ８の表示部８６の方、若しくは携帯電話機１の表示部１８の方で任意の表示(待受画面、通話画面、機能画面など)が行われているかを判別する（Ｓ１４０５）。
【００７８】
ＨＭＤ８の表示部８６の方で任意の表示が行われていれば（Ｓ１４０５：ＹＥＳ）、その任意の表示内容を自己の表示部１８に表示させる（Ｓ１４０６）。一方、ＨＭＤ８の表示部８６の方で任意の表示が行われていなければ（Ｓ１４０５：ＮＯ）、自己の表示部１８に表示されている表示内容をＨＭＤ８の表示部８６に表示させる（Ｓ１４０７）。
【００７９】
ところで、以上の説明では、携帯電話機１とＨＭＤ８との接触を各制御（発信制御処理、着信制御処理、メール着信制御処理）の一つの契機としているが、これに限らず、携帯電話機１とＨＭＤ８双方の距離検出部２２、８７によって、携帯電話機１とＨＭＤ８との距離が所定の距離（例えば、３ｃｍ）以内に近づいたことを契機としてもよい。
【００８０】
また、発信制御処理における発信は、音声発信やメール発信に限らず、データ通信など任意の通信の発信でもよい。着信制御処理、メール着信制御処理、表示制御処理における着信についても同様に、音声着信やメール着信に限らず、任意の通信の着信でもよい。
【００８１】
図１５は図１０で説明したメインルーチンから呼び出される一つのサブルーチンとしての機能起動処理（Ｓ１０１４）の一例を説明するフローチャートである。
【００８２】
まず携帯電話機１は、自己に搭載された機能を起動すべくユーザによって機能起動操作が行われた場合、表示制御情報記憶部１３１に記憶された表示制御情報６１０の中で設定フラグが「１」に設定された種別６１１の読み出しを行う（Ｓ１５０１）。
【００８３】
つぎに携帯電話機１は、読み出された種別６１１が「スタイル」であった場合（Ｓ１５０２：ＹＥＳ）、スタイル検出部２１によって自己の筐体（第１の筐体１０１、第２の筐体１０２）の現在のスタイル（オープンスタイル、クローズスタイル、ビュースタイル）を検出する（Ｓ１５０３）。そして、携帯電話機１は、検出されたスタイルと、それに対応した表示制御情報６１０の制御内容６１２に基づいて、ＨＭＤ８の表示部８６又は携帯電話機１の表示部１８のどちらで表示するかを判別する（Ｓ１５０４）。
【００８４】
ＨＭＤ８の表示部８６で表示することが判別された場合（Ｓ１５０５：ＹＥＳ）、ＨＭＤ通信部１６を介してＨＭＤ８の表示部８６に対して機能起動操作により起動指示された機能を表示させた後（Ｓ１５０６）、図１０に示すＳ１００３に戻る。携帯電話機１の表示部１８で表示することが判別された場合（Ｓ１５０５：ＮＯ）、表示部１８に対して機能起動操作により起動指示された機能を表示させた後（Ｓ１５０７）、図１０に示すＳ１００３に戻る。
【００８５】
携帯電話機１は、読み出された種別６１１が「スタイル＋機能」であった場合（Ｓ１５０２：ＮＯ、Ｓ１５０８：ＹＥＳ）、スタイル検出部２１によって自己の筐体の現在のスタイルを検出する（Ｓ１５０９）。そして、携帯電話機１は、検出されたスタイルと、機能起動操作によって起動指示された機能と、それらに対応した表示制御情報６１０の制御内容６１２に基づいて、ＨＭＤ８の表示部８６又は携帯電話機１の表示部１８のどちらで表示するかを判別する（Ｓ１５１０）。そして、Ｓ１５０５に進む。
【００８６】
携帯電話機１は、読み出された種別６１１が「スタイル」でも「スタイル＋機能」でもなかった場合（Ｓ１５０２：ＮＯ、Ｓ１５０８：ＮＯ）、表示履歴９１０を参照して、機能起動操作によって起動指示された機能が、表示履歴９１０に記憶されているか否かを判別する（Ｓ１５１１）。表示履歴９１０に起動指示された機能が記憶されていれば（Ｓ１５１１：ＹＥＳ）、携帯電話機１は、起動指示された機能と、それに対応する表示履歴９１０の内容に基づいて、ＨＭＤ８の表示部８６又は携帯電話機１の表示部１８のどちらで表示するかを判別する（Ｓ１５１２）。そして、Ｓ１５０５に進む。尚、表示履歴９１０に起動指示された機能が記憶されていなければ、Ｓ１５０７に進む。
【００８７】
ところで、起動指示された機能が表示履歴９１０に複数記憶されており、ＨＭＤ８の表示部８６で表示された履歴と携帯電話機１の表示部１８で表示された履歴の双方が存在する場合、最新の履歴（ＩＤ９１１の最も若いレコード）に従ってもよいし、最も頻度の高い履歴に従ってもよい。また、ユーザ操作によって選択可能にしてもよい。
【００８８】
また、本機能起動処理で用いられるスタイルは、図２に説明したものに限られず、端末装置の筐体構造に応じた配置状態でよい。
【００８９】
また、本機能起動処理で用いられる機能は、図９に説明したテレビ放送の再生（放送電波再生機能）、アドレス帳、電子メールの表示（電子メール機能）、所定の画像再生（静止画再生機能、動画再生機能）に限らず、任意の機能でよい。
【００９０】
以上によれば、外部表示装置の表示部および端末装置の表示部の表示を、ユーザの煩雑な操作を必要とせずに、適切に制御することができる。
【００９１】
また、外部表示装置の表示部および端末装置の表示部の表示を、外部表示装置と端末装置との距離に応じて、適切に制御することができる。
【００９２】
また、外部表示装置と端末装置とが近づいた場合、あるいは接触した場合に、端末装置に搭載されている機能（通話、メール、テレビ、画像再生、アドレス帳等）の表示を、外部表示装置および端末装置のいずれか一方の表示部から他方の表示部に切り替えて表示させることができる。すると、ユーザは表示を切り替えたい場合に、外部表示装置と端末装置とを近づけたり接触させたりすればよいので、ユーザの煩雑な操作を必要とせずに、外部表示装置および端末装置のいずれか一方の表示部の表示をユーザの意思に従って制御することができる。
【００９３】
また、着信報知状態（着信中であることを報知している状態、あるいは着信後に着信があったことを報知している状態）の場合に、外部表示装置と端末装置とが近づいたときあるいは接触したときに、通信機能（着信画面、通話画面など）の表示を外部表示装置の表示部に表示させることができる。すると、ユーザは外部表示装置と端末装置とを近づけたり接触させたりすれば外部表示装置の表示部に通信機能の表示をさせることができるので、ユーザの煩雑な操作を必要とせずに、外部表示装置および端末装置のいずれか一方の表示部の表示をユーザの意思に従って制御することができる。
【００９４】
また、端末装置が着信報知状態（着信中）の場合であり、外部表示装置と端末装置とが近づいたときあるいは接触したときに、ユーザの煩雑な操作を必要とせずに、音声通話状態に遷移させることができる。
【００９５】
また、端末装置が着信報知状態（着信中）の場合であり、外部表示装置と端末装置とが近づいたときあるいは接触したときに、ユーザの煩雑な操作を必要とせずに、テレビ電話通話状態に遷移させることができる。
【００９６】
また、端末装置が着信報知状態（着信中、着信後に着信ありを表示している状態）の場合であり、外部表示装置と端末装置とが近づいたときあるいは接触したときに、ユーザの煩雑な操作を必要とせずに、着信に関する情報（着信相手の詳細情報や着信履歴）を表示させることができる。
【００９７】
また、端末装置がメール着信報知状態（着信中、着信後に着信メールありを表示している状態）の場合であり、外部表示装置と端末装置とが近づいたときあるいは接触したときに、ユーザの煩雑な操作を必要とせずに、着信メールを表示させることができる。
【００９８】
また、発信相手を指定している状態（アドレス帳、発信履歴、着信履歴などで発信相手を表示している状態、あるいは電話番号やメールアドレスを入力している状態）において、外部表示装置と端末装置とが近づいた場合あるいは接触した場合に、通信機能（発信画面、通話画面）の表示を外部表示装置の表示部に表示させることができる。ユーザは外部表示装置と端末装置とを近づけたり接触させたりすれば外部表示装置の表示部に通信機能の表示をさせることができるので、ユーザの煩雑な操作を必要とせずに、表示部の表示をユーザの意思に従って制御することができる。
【００９９】
また、発信相手を指定している状態の場合であり、外部表示装置と端末装置とが近づいたときあるいは接触したときに、ユーザの煩雑な操作を必要とせずに、音声発信状態に遷移させることができる。
【０１００】
また、発信相手を指定している状態の場合であり、外部表示装置と端末装置とが近づいたときあるいは接触したときに、ユーザの煩雑な操作を必要とせずに、テレビ電話発信状態に遷移させることができる。
【０１０１】
また、発信相手を指定している状態の場合であり、外部表示装置と端末装置とが近づいたときあるいは接触したときに、ユーザの煩雑な操作を必要とせずに、メール発信状態に遷移させることができる。
【０１０２】
また、外部表示装置の表示部および端末装置の表示部の表示を、過去の表示履歴に応じて、適切に制御することができる。
【０１０３】
また、外部表示装置の表示部および端末装置の表示部の表示を、端末装置の筐体のスタイルに応じて、適切に制御することができる。
【０１０４】
また、外部表示装置の表示部および端末装置の表示部の表示を、端末装置の筐体のスタイルと表示させる機能に応じて、適切に制御することができる。
【０１０５】
上記の実施形態の一部又は全部は、以下の付記のようにも記載されうるが、以下には限られない。
【０１０６】
（付記１）
外部表示装置との間の距離を検出する検出手段と、
前記検出手段によって検出された距離に基づいて、自己に搭載された所定機能を前記外部表示装置の表示部に表示させるか、若しくは自己の表示部に表示させるかを判別する判別手段と、
前記判別手段による判別結果に基づいて、前記外部表示装置の表示部および前記自己の表示部の表示を制御する表示制御手段と、
を備えることを特徴とする端末装置。
【０１０７】
（付記２）
付記１に記載の端末装置であって、
前記判別手段は、前記所定機能が前記外部表示装置の表示部又は前記自己の表示部のうちいずれか一方の表示部に表示されている状態において、前記検出手段によって、前記外部表示装置との間の距離が所定距離以内になったこと、若しくは前記外部表示装置と接触したことが検出された場合に、他方の表示部に前記所定機能を表示させる旨を判別することを特徴とする端末装置。
【０１０８】
（付記３）
付記１に記載の端末装置であって、当該端末装置は、前記所定機能として通信機能を備え、
前記判別手段は、着信報知状態である場合に、前記検出手段によって、前記外部表示装置との間の距離が所定距離以内になったこと、若しくは前記外部表示装置と接触したことが検出された場合に、前記外部表示装置の表示部に前記通信機能を表示させる旨を判別することを特徴とする端末装置。
【０１０９】
（付記４）
付記３に記載の端末装置であって、
前記着信報知状態である場合に、前記検出手段によって、前記外部表示装置との間の距離が所定距離以内になったこと、若しくは前記外部表示装置と接触したことが検出された場合に、音声通話状態に遷移する通信制御手段を備えることを特徴とする端末装置。
【０１１０】
（付記５）
付記３に記載の端末装置であって、
前記着信報知状態である場合に、前記検出手段によって、前記外部表示装置との間の距離が所定距離以内になったこと、若しくは前記外部表示装置と接触したことが検出された場合に、テレビ電話通話状態に遷移する通信制御手段を備えることを特徴とする端末装置。
【０１１１】
（付記６）
付記３に記載の端末装置であって、
前記着信報知状態である場合に、前記検出手段によって、前記外部表示装置との間の距離が所定距離以内になったこと、若しくは前記外部表示装置と接触したことが検出された場合に、着信に関する情報を表示する情報表示手段を備えることを特徴とする端末装置。
【０１１２】
（付記７）
付記３に記載の端末装置であって、
メール着信報知状態である場合に、前記検出手段によって、前記外部表示装置との間の距離が所定距離以内になったこと、若しくは前記外部表示装置と接触したことが検出された場合に、着信したメールを表示する情報表示手段を備えることを特徴とする端末装置。
【０１１３】
（付記８）
付記１に記載の端末装置であって、当該端末装置は、前記所定機能として通信機能を備え、
前記判別手段は、発信相手を指定している状態の場合において、前記検出手段によって、前記外部表示装置との間の距離が所定距離以内になったこと、若しくは前記外部表示装置と接触したことが検出された場合に、前記外部表示装置の表示部に前記通信機能を表示させる旨を判別することを特徴とする端末装置。
【０１１４】
（付記９）
付記８に記載の端末装置であって、
前記発信相手を指定している状態の場合に、前記検出手段によって、前記外部表示装置との間の距離が所定距離以内になったこと、若しくは前記外部表示装置と接触したことが検出された場合に、音声発信状態に遷移する通信制御手段を備えることを特徴とする端末装置。
【０１１５】
（付記１０）
付記８に記載の端末装置であって、
前記発信相手を指定している状態の場合に、前記検出手段によって、前記外部表示装置との間の距離が所定距離以内になったこと、若しくは前記外部表示装置と接触したことが検出された場合に、テレビ電話発信状態に遷移する通信制御手段を備えることを特徴とする端末装置。
【０１１６】
（付記１１）
付記８に記載の端末装置であって、
前記発信相手を指定している状態の場合に、前記検出手段によって、前記外部表示装置との間の距離が所定距離以内になったこと、若しくは前記外部表示装置と接触したことが検出された場合に、メール発信状態に遷移する通信制御手段を備えることを特徴とする端末装置。
【０１１７】
（付記１２）
外部表示装置の表示部に自己に搭載されている所定機能を表示させたか、若しくは自己の表示部に表示させたのかを、当該所定機能ごとに表示履歴として記憶する記憶手段と、
前記所定機能を起動するにあたって、前記記憶手段に記憶されている表示履歴に基づいて、当該所定機能を前記外部表示装置の表示部に表示させるか、若しくは前記自己の表示部に表示させるかを判別する判別手段と、
前記判別手段による判別結果に基づいて、前記外部表示装置の表示部および前記自己の表示部の表示を制御する表示制御手段と、
を備えることを特徴とする端末装置。
【０１１８】
（付記１３）
自己の筐体の配置状態を示すスタイルを検出する検出手段と、
前記検出手段によって検出されたスタイルに基づいて、自己に搭載されている所定機能を外部表示装置の表示部に表示させるか、若しくは自己の表示部に表示させるかを判別する判別手段と、
前記判別手段による判別結果に基づいて、前記外部表示装置の表示部および前記自己の表示部の表示を制御する表示制御手段と、
を備えることを特徴とする端末装置。
【０１１９】
（付記１４）
付記１３に記載の端末装置であって、
前記判別手段は、前記検出手段によって検出されたスタイルとともに前記所定機能に基づいて、前記外部表示装置の表示部に表示させるか、もしくは前記自己の表示部に表示させるかを判別することを特徴とする端末装置。
【０１２０】
（付記１５）
コンピュータに、
外部表示装置との間の距離を検出する検出機能と、
前記検出機能によって検出された距離に基づいて、端末装置に搭載された所定機能を前記外部表示装置の表示部に表示させるか、若しくは前記端末装置の表示部に表示させるかを判別する判別機能と、
前記判別機能による判別結果に基づいて、前記外部表示装置の表示部および前記端末装置の表示部の表示を制御する表示制御機能と、
を実現させるためのプログラム。
【０１２１】
（付記１６）
コンピュータに、
外部表示装置の表示部に端末装置に搭載されている所定機能を表示させたか、若しくは前記端末装置の表示部に表示させたのかを、当該所定機能ごとに表示履歴として記憶する記憶機能と、
前記所定機能を起動するにあたって、前記記憶機能に記憶されている表示履歴に基づいて、当該所定機能を前記外部表示装置の表示部に表示させるか、若しくは前記端末装置の表示部に表示させるかを判別する判別機能と、
前記判別機能による判別結果に基づいて、前記外部表示装置の表示部および前記端末装置の表示部の表示を制御する表示制御機能と、
を実現させるためのプログラム。
【０１２２】
（付記１７）
コンピュータに、
端末装置の筐体の配置状態を示すスタイルを検出する検出機能と、
前記検出機能によって検出されたスタイルに基づいて、前記端末装置に搭載されている所定機能を外部表示装置の表示部に表示させるか、若しくは前記端末装置の表示部に表示させるかを判別する判別機能と、
前記判別機能による判別結果に基づいて、前記外部表示装置の表示部および前記端末装置の表示部の表示を制御する表示制御機能と、
を実現させるためのプログラム。
【符号の説明】
【０１２３】
１ 携帯電話機
１０１ 第１の筐体
１０２ 第２の筐体
１１ 中央制御部
１２ ＲＯＭ
１３ ＲＡＭ
１４ 無線通信部
１５ テレビ・ラジオ放送通信部
１６ ＨＭＤ通信部
１７ 音声信号処理部
１８、１８１、１８２ 表示部
１９ 操作部
２０ ＲＴＣ
２１ スタイル検出部
２２ 距離検出部
２ 交換機
３ 移動体通信網
４ 基地局
５ メールサーバ
６ 放送局
７ 送信基地局
８ ＨＭＤ
８１ 中央制御部
８２ ＲＯＭ
８３ ＲＡＭ
８４ 携帯電話機通信部
８５ 音声信号処理部
８５０ 支持部材
８５１ スピーカ
８５２ マイクロフォン
８６ 表示部
８７ 操作部
８８ 距離検出部
６１０ 表示制御情報
６１１ 種別
６１２ 制御内容
６１３ 設定フラグ
７１０ 発信制御情報
８１０ 着信制御情報
９１０ 表示履歴
【図１】
0005517222.tif 000002
【図２】
0005517222.tif 000003
【図３】
0005517222.tif 000004
【図４】
0005517222.tif 000005
【図５】
0005517222.tif 000006
【図６】
0005517222.tif 000007
【図７】
0005517222.tif 000008
【図８】
0005517222.tif 000009
【図９】
0005517222.tif 000010
【図１０】
0005517222.tif 000011
【図１１】
0005517222.tif 000012
【図１２】
0005517222.tif 000013
【図１３】
0005517222.tif 000014
【図１４】
0005517222.tif 000015
【図１５】
0005517222.tif 000016
【図１６】
0005517222.tif 000017